(57)【要約】【課題】  非木材製であって湿気による腐食や害虫による空洞化のおそれがなく、しかも十分な強度及び耐久性を有し、さらに低コストに製造でき、また施工が容易な建築物の土台用構造材を提供する。【解決手段】  非木材である樹脂またはコンクリートよりなる土台本体１内に、この土台本体の長手方向に配した金属製の筋材２ａ、２ｂを設け、長手方向の両端部に他の土台用構造材との係合部３、４を備え、この係合部を前記筋材と溶接等により結合した構成のものとした。【選択図】  図２
2005299211.tif 000002
【特許請求の範囲】
【請求項１】
樹脂またはコンクリートよりなる土台本体内に、この土台本体の長手方向に配した金属製の筋材を設けてなる建築物の土台用構造材。
【請求項２】
前記土台本体における長手方向の両端部に他の土台用構造材との係合部を備えてなる請求項１に記載の建築物の土台用構造材。
【請求項３】
前記係合部を、前記筋材に固設した係合部材で構成してなる請求項２に記載の建築物の土台用構造材。
【請求項４】
前記係合部材を、基部が筋材の一端部に固設され、先端部が土台本体の端部から突出する係合用突起部材と、筋材の他端部に固設され、前記係合用突起部材と着脱可能に係合する係合用受け部材とで構成してなる請求項３に記載の建築物の土台用構造材。
【請求項５】
前記筋材に、土台本体から上方へ突出する係止部材の基部を固設し、この係止部材に、建築物の柱等の他の構造材を土台に連結するための締結具を固定することができるように構成してなる請求項１に記載の建築物の土台用構造材。
【発明の詳細な説明】
【技術分野】
【０００１】
本発明は建築物の土台を構成する構造材に関する。
【背景技術】
【０００２】
土台は一般的には木造建築物の基礎上に水平に支持される構造材であり、通常は四角柱状の木材（角材）で構成されている。
【０００３】
木材製の建築構造材では、湿気による腐食やシロアリ等の害虫による空洞化が生じるおそれがあり、建築物の耐久性、強度および安全性を損なう原因となる。
【０００４】
上述した木材製の土台における問題点に対し、木材に防食加工を施す手段や木材の外周に金属製の薄板を巻き付ける手段（特許文献１参照）等があるが、決して十分な対策とはいえず、腐食や空洞化が生じるケースがある。
【０００５】
また、構造材を軽金属等の金属材（特許文献２参照）で構成する手段もあるが、材料費が嵩み、いきおい建設コストが増大するという問題がある。
【特許文献１】特開２０００−１４５００９（第１〜３頁、図１〜８）
【特許文献２】特開平１１−３２４２２０（第１〜４頁、図１〜４）
【発明の開示】
【発明が解決しようとする課題】
【０００６】
本発明の目的とするところは、非木材製であって湿気による腐食や害虫による空洞化のおそれがなく、しかも十分な強度及び耐久性を有し、さらに低コストに製造でき、また施工が容易な建築物の土台用構造材を提供することにある。
【課題を解決するための手段】
【０００７】
上記目的を達成するために、本発明の請求項１に係る土台用構造材は、樹脂またはコンクリートよりなる土台本体内に、この土台本体の長手方向に配した金属製の筋材を設けた構成のものとしてある。
【０００８】
本発明の請求項２に係る土台用構造材は、長手方向の両端部に他の土台用構造材との係合部を備えてなる構成のものとしてある。
【０００９】
本発明の請求項３に係る土台用構造材は、前記係合部を、前記筋材に固設した係合部材で構成したものとしてある。
【００１０】
本発明の請求項４に係る土台用構造材は、前記係合部材を、基部が筋材の一端部に固設され、先端部が土台本体の端部から突出する係合用突起部材と、筋材の他端部に固設され、前記係合用突起部材と着脱可能に係合する係合用受け部材とで構成したものとしてある。
【００１１】
本発明の請求項５に係る土台用構造材は、前記筋材に、土台本体から上方へ突出する係止部材の基部を固設し、この係止部材に、建築物の柱等の他の構造材を土台に連結するための締結具を固定することができるように構成したものとしてある。
【発明の効果】
【００１２】
本発明の土台用構造材によれば、樹脂やコンクリート製の土台本体内の長手方向に筋材を配してあるので、耐荷重強度が大であってこの構造材を用いた建築物の構造強度を格段に向上せしめることができる。
【００１３】
また、土台本体は樹脂やコンクリート等の非木製のもであるので、成型が容易であって形状の設計の自由度が高く、多種多様な建築物に容易に対応でき、しかも水分や害虫の侵入を確実に防止することができ、長期間に亘って安定した構造強度を維持することができ、信頼性の高い建築物を施工することができる。
【００１４】
さらに、本発明の土台用構造材は工場において所定の仕様に基づいて安定した製造が可能であって、個々の構造材の品質管理も容易であり、しかも安価に製作できるという利点がある。
【００１５】
また、構造材どうしの連結を行なうための係合部はその係合部材の基部を前記筋材に溶接等により強固に固定してあるので、構造材を接続した状態において筋材が土台構造全体に連続し、したがって土台構造全体の強度を大ならしめることができる。
【実施例】
【００１６】
以下、本発明に係る土台用構造材の実施例を添付図面に示す具体例に基づいて詳細に説明する。
コンクリートよりなる角柱状の土台本体１内には、金属製筋材２ａ、２ｂよりなる鉄筋骨格２が形成されていて、鉄筋骨格２は土台の長手方向全長に亘って平行に配設した長尺の筋材２ａ、２ａと、これら長尺の筋材に直交して、長尺の筋材どうしを互いに接続する短尺の筋材２ｂ、２ｂで構成してある。
【００１７】
そして、前記長尺の筋材２ａ、２ａの一端部には、基部がこれら筋材に溶接固定され、先端部が土台本体１の一端面から突出する係合用突起部材３を設けてあり、また筋材２ａ、２ａの他端部には、前記係合用突起部材と係合可能な係合用受け部材４を溶接固定してあって、これら係合用突起部材と同受け部材とで係合部を構成している。
【００１８】
上記係合用突起部材３と同受け部材４は、それぞれ例えば鋳物製のものとしてあって、係合用突起部材は角柱状の首部３ａの先端に、横幅は首部と同じであるが上下方向幅が広い頭部３ｂを有する形状に構成してあり、また係合用受け部材は係合用突起部材の外面形状に倣う係合溝４ａを土台の長手方向に直交する水平方向に形成してあって、これら係合用突起部材と同受け部材によって木材継手の鎌継手と同様の係合状態を構成できるようになっている。
【００１９】
すなわち、上述した係合用突起部材と同受け部材とで係合部を構成しており、隣り合う土台どうしは一方の土台の係合用突起部材と他方の土台の係合用受け部材とを係合させることによって強固に連結されるようになっている。
【００２０】
また、前記鉄筋骨格２の短尺の筋材２ｂには、係止部材たるボルト５の基部を溶接固定してあり、このボルトは土台本体１の上面から上方に突設されていて、土台上に設けられる柱等の構造部材を連結するためのいわゆるホールダウン金物等の締結具を係止・固定できるようになっている。
【００２１】
なお、図において符号６は基礎上に突設されたアンカーボルトに土台を固定するためのアンカーボルト挿通用の孔、７は後述する土台用構造材の連結状態において連結部を補強するための補強部材固定用の締結具を挿通するための孔をそれぞれ示している。
【００２２】
上述した土台用構造材を製造する際は、まず鉄筋骨格２を組み立てて、この鉄筋骨格に係合用突起部材３と係合用受け部材４およびボルト５を溶接固定し、その後骨格まわりにコンクリートを打設して土台用本体１を形成する。
【００２３】
なお、土台本体１をコンクリートで構成するのに代えて、樹脂材を使用する場合もあり、樹脂材としてはＣＦＲＰ（炭素繊維強化プラスチック）、ＭＦ（メラミン樹脂）、ＰＥＴ（ポリエチレンテレフタレート）等が土台用構造材としての耐久性、剛性の点から好適であり、樹脂材を単独で使用する場合もあるし、古紙再生パルプや木質細片あるいは合成繊維等の各種繊維や金属細線等の混入材を強度の向上のために混入する場合もある。
なお、上記混入材はコンクリートを使用する際に適宜のものを混入する場合もある。
【００２４】
本発明の土台用構造材は、上述したように直線状（Ｉ字状）のもの８に構成するほかに、出隅や入隅等のコーナー用の土台に用いられるＬ字状のもの９や、土台の十字交差部あるいはＴ字交差部に用いられる十字状のもの１０あるいはＴ字状のもの１１に形成して使用され、これら各種の形状に構成した土台を例えば図５に示されるように相互に接続して使用する。
【００２５】
なお、上述したＬ字状、十字状およびＴ字状の土台９、１０、１１はいずれもそれぞれのコーナー部分の内側にアール部１２、１２を形成してあり、これらアール部を設けることによって構造強度の向上を期すことができ、アール部は土台を製作する際に筋材および型枠の形状を適宜設定することによって容易に設けることができる。
【００２６】
また、上記アール部には内側に突出する係止部材１３、１３を設けてあり、これら係止部材間に筋交い１４、１４を張設できるようにしてあって、土台全体の構造強度をさらに向上せしめることができるようになっている。なお、係止部材１３、１３は、前述したボルト５と同様に、筋材２ｂに基部を予め溶接固定したものとしてある。
【００２７】
そして土台本体どうしの係合部を連結させた部分における左右の側面には、連結部を補強するための補強部材たる補強プレート１５、１５を取り付けてあって、これらプレートは、前述した土台本体にその長手方向に直交する横向きにあけた孔７に挿通せしめたボルト１６とナット１７で固定してある。
【００２８】
上述のように構成した土台用構造材では、係合部を木材継手における鎌継手と同様の形状のもので構成してあるが、土台本体どうしを確実に連結することができ、しかも係合部を構成する部材が筋材に強固に固定されているものであればその構成は従来から公知のものを適宜採用することができる。
【００２９】
ところで、実際の建築現場においては土台用構造材の全てに同じ材質、構成のものを使用するのではなく、例えば本発明の土台用構造材と木製の土台あるいは鋼材を混在させて使用する場合もあり、このような場合には本発明の構造材における係合部と係合する形状の連結部材を適宜のブラケット等の接続具により木製等の他の土台用構造材に取り付けるようにする場合もあるし、本発明の土台用構造材における係合部材を取り外して適宜の接続具により連結する場合もある。
【００３０】
また、本発明の土台用構造材は一般的な木製の土台と同様にコンクリート基礎の上面に固定して使用する場合もあれば、基礎杭の上端に適宜の取り付け具を介して固定して使用する場合もあり、本発明の構造材は長手方向に筋材を配してあるので、基礎杭の上端に取り付けられて中間支持部がない場合にも充分な構造強度が得られ、特に好適である。
【図面の簡単な説明】
【００３１】
【図１】本発明に係る構造材の実施例を一部破断して示す平面図。
【図２】本発明に係る構造材の実施例を一部破断して示す正面図。
【図３】本発明に係る構造材どうしの係合状態を示す平面図。
【図４】本発明に係る構造材どうしの係合状態を示す側面図。
【図５】本発明に係る構造材により、土台を構成した状態を示す平面図。
【符号の説明】
【００３２】
１  土台本体                  ２  鉄筋骨格
３  係合用突起部材            ４  係合用受け部材
５  ボルト                    ６  孔
７  孔                        ８  直線状の土台本体
９  Ｌ字状の土台本体        １０  十字状の土台本体
１１  Ｔ字状の土台本体        １２  アール部
１３  係止部材                １４  筋交い
１５  補強プレート            １６  ボルト
１７  ナット
【図１】
2005299211.tif 000003
【図２】
2005299211.tif 000004
【図３】
2005299211.tif 000005
【図４】
2005299211.tif 000006
【図５】
2005299211.tif 000007